(57)【特許請求の範囲】
【請求項１】
オン状態の時に電源電力を供給し、オフ状態の時に前記電源電力の供給を遮断する電源スイッチと、
前記電源スイッチを介して供給された前記電源電力を変換し所望の出力電力を出力する変換部と、
故障を通知するアラーム信号又は省電力を指示する省電力信号に基づいて前記電源電力の供給を遮断し、前記電源スイッチをオフ状態にした後に再度オン状態にして前記電源電力の再供給を行う場合において、前記アラーム信号に基づいて前記電源電力の供給を遮断した場合は、前記電源電力の再供給を所定時間だけ制限し、前記省電力信号に基づいて前記電源電力の供給を遮断した場合は、前記所定時間を短くして前記電源電力を再供給するように制御する制御部と、
を備えたことを特徴とする電源装置。
【請求項２】
請求項１記載の電源装置は、
前記電源スイッチと前記制御部との間に配設された整流ダイオードと、
前記電源スイッチと前記整流ダイオードとの間に配設され、第１のコンデンサを含んで構成された前記電源電力のノイズを除去する１次フィルタと、
前記電源スイッチから前記１次フィルタ及び前記整流ダイオードを通して電荷を充電する第２のコンデンサと、
を有することを特徴とする電源装置。
【請求項３】
前記制御部は、
前記第１のコンデンサに蓄えられた残電圧を出力する電圧供給部と、
前記アラーム信号に基づいて、前記第１のコンデンサに蓄えられた第１の残電圧を、前記第２のコンデンサに蓄えられた第２の残電圧に切り替えて出力する放電回路切り替え部と、
前記第１の残電圧又は前記第２の残電圧と、前記電源電力の再供給を許可する所定電圧と、を比較して、前記第１の残電圧又は前記第２の残電圧が前記所定電圧になるまでの時間によって前記所定時間を定める所定時間決定手段と、
を有することを特徴とする請求項２記載の電源装置。
【請求項４】
前記制御部は、
前記アラーム信号を受けると、前記第２のコンデンサに蓄えられた電荷の放電を促進する放電回路切り替え部を有することを特徴とする請求項２記載の電源装置。
【請求項５】
前記制御部は、更に、
前記省電力信号を受けると、前記アラーム信号発生時より短時間で前記電源電力の供給を遮断することを特徴とする請求項４記載の電源装置。
【請求項６】
前記変換部は、前記整流ダイオードで整流し、前記コンデンサが平滑した出力電圧をスイッチングするスイッチング部と、を有し
前記制御部は、前記スイッチングを制御するパルス信号を出力するパルス信号出力端子を有することを特徴とする請求項３記載の電源装置。
【請求項７】
前記制御部は、前記アラーム信号を受けると、前記パルス信号出力端子から前記変換部に前記出力電力を低下させる制御信号としてパルス信号を停止した状態とし、且つ、前記第１の残電圧、又は前記第２の残電圧が前記所定電圧に低下するまで、前記パルス信号の停止した状態を維持することを特徴とする請求項６記載の電源装置。
【請求項８】
前記制御部は、
前記所望の出力電力を出力するために、前記パルス信号出力端子の出力パルスをパルス幅変調して前記スイッチング部を制御することを特徴とする請求項６記載の電源装置。
【請求項９】
請求項１〜８の何れか１項記載の電源装置と、
前記電源装置の前記出力電力により駆動され、記録媒体に画像を形成する画像形成装置本体と、
を備えたことを特徴とする画像形成装置。
【請求項１０】
請求項９記載の画像形成装置において、
前記画像形成装置本体は、
前記印字部を制御する演算処理部と、
記録媒体に印字を行う印字部と、
前記印字部の故障を検知し前記アラーム信号を出力する故障検知部と、を有し、
前記演算処理部は、
前記印字部による画像形成動作が所定時間行われないと前記省電力信号を出力することを特徴とする画像形成装置。
【発明の詳細な説明】
【技術分野】
【０００１】
本発明は、スイッチング電源である電源装置と、この電源装置及び画像形成部を備えた画像形成装置と、に関するものである。
【背景技術】
【０００２】
従来、電源スイッチを介して入力される交流電力を所望の直流電力に変換する電源装置と、その直流電力により駆動される負荷側の装置（例えば、画像形成装置本体としてのプリンタ本体）と、を備えた画像形成装置が知られている。この種の画像形成装置では、プリンタ本体に異常が発生すると、このプリンタ本体側からアラーム信号が出力されて電源装置側がオフ状態になる構成になっている。
【０００３】
例えば、下記の特許文献１には、負荷側の装置に異常が発生すると、電源装置側をオフ状態にする技術が記載されている。
【先行技術文献】
【特許文献】
【０００４】
【特許文献１】特開平１０−２７０７２号公報
【発明の概要】
【発明が解決しようとする課題】
【０００５】
従来の画像形成装置において、低消費電力化を図るために、プリンタ本体を一定時間使用しない時に、電源装置を自動でオフ状態にさせるオートオフ（Auto  OFF）機能を付加する場合、次のような課題があった。
【０００６】
プリンタ本体に異常が発生すると、このプリンタ本体側からアラーム信号が出力されて電源装置側がオフ状態になる。その後、電源スイッチをオフ状態にし、再度、電源スイッチをオン状態にして交流電力を再供給する場合、ユーザへ装置故障を認識させるため、一定のラッチ解除時間（例えば、数分程度）が経過しなければ、電源スイッチをオン状態にしても、交流電力が再供給されない構成になっている。
【０００７】
このような構成に、オートオフ機能を付加した場合、このオートオフ機能が働いて電源装置がオフ状態になった後、電源スイッチをオン状態にして交流電力を再供給しても、前記ラッチ解除時間が経過しなければ、交流電力の再供給ができない。そのため、交流電力再供給におけるユーザの待ち時間が発生し、不利不便である。
【０００８】
そこで、電源スイッチオフ後の前記ラッチ解除時間を短縮することが考えられる。しかし、ラッチ解除時間を短くすれば、ユーザへ装置故障を認識させられなくなるので、安易に電源スイッチオフ後のラッチ解除時間を短縮することができず、前記の不利不便さを解決することが困難であった。
【課題を解決するための手段】
【０００９】
本発明のうちの第１の発明の電源装置は、オン状態の時に電源電力を供給し、オフ状態の時に前記電源電力の供給を遮断する電源スイッチと、前記電源スイッチにより供給された前記電源電力を変換し所望の出力電力を出力する変換部と、故障を通知するアラーム信号又は省電力を指示する省電力信号に基づいて前記電源電力の供給を遮断し、前記電源スイッチをオフ状態にした後に再度オン状態にして前記電源電力の再供給を行う場合において、前記アラーム信号に基づいて前記電源電力の供給を遮断した場合は、前記電源電力の再供給を所定時間だけ制限し、前記省電力信号に基づいて前記電源電力の供給を遮断した場合は、前記所定時間を短くして前記電源電力を再供給するように制御する制御部と、を備えたことを特徴とする。
【００１０】
第２の発明の画像形成装置は、前記第１の発明の電源装置と、前記電源装置の前記出力電力により駆動され、記録媒体に画像を形成する画像形成装置本体と、を備えたことを特徴とする。
【発明の効果】
【００１１】
本発明の電源装置及び画像形成装置によれば、省電力信号が有効である場合、電源スイッチオフ後の電源再供給が即可能となる。更に、アラーム信号が有効である場合、電源スイッチオフ後の電源再供給時間に、ユーザへ装置故障を認識させるため所望の待ち時間を確保することができる。
【図面の簡単な説明】
【００１２】
【図１】図１は本発明の実施例１における電源装置の構成ブロック図である。
【図２】図２は本発明の実施例１におけるプリンタ本体の構成を示す概略の斜視図である。
【図３】図３は本発明の実施例１の比較例を示す電源装置２０の構成ブロック図である。
【図４】図４は図３の電源装置２０の構成例を示す回路図である。
【図５】図５は図３及び図４中のアラーム信号処理の動作を示すフローチャートである。
【図６】図６はＡＣスイッチ２１ａのオフ後の図４中の電解コンデンサ２５ａの残電圧についての説明図である。
【図７】図７は図１の電源装置２０Ａの構成例を示す回路図である。
【図８】図８は図１及び図７の電源装置２０Ａにおける全体の動作を示す概略のフローチャートである。
【図９】図９は図８中のステップＳ２３のオートオフ信号処理の動作を示す電源装置２０Ａの構成ブロック図である。
【図１０】図１０は図８中のステップＳ２３のオートオフ信号処理の動作を示すフローチャートである。
【図１１】図１１は図８中のステップＳ２４のアラーム信号処理の動作を示す電源装置２０Ａの構成ブロック図である。
【図１２】図１２は図８中のステップＳ２４のアラーム信号処理の動作を示すフローチャートである。
【図１３】図１３はＡＣスイッチ２１ａのオフ後の図７中のコンデンサ２３ｃの残電圧についての説明図である。
【図１４】図１４は図７中のフォトカプラの発光部７２ｅ、７３ｄの点灯条件を示す図である。
【図１５】図１５は図７中のフォトトランジスタ３２ａ、７１ｇのオン／オフと、ＩＣ３０の動作状態及びユーザによる電源再立ち上げ時間との関係を示す図である。
【図１６】図１６は本発明の実施例２における電源装置２０Ｂの構成ブロック図である。
【図１７】図１７は図１６の電源装置２０Ｂの構成例を示す回路図である。
【図１８】図１８は図１６及び図１７の電源装置２０Ｂにおける全体の動作を示す概略のフローチャートである。
【図１９】図１９は図１８中のステップＳ７３のオートオフ信号処理の動作を示す電源装置２０Ｂの構成ブロック図である。
【図２０】図２０は図１８中のステップＳ７３のオートオフ信号処理の動作を示すフローチャートである。
【発明を実施するための形態】
【００１３】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１４】
本発明の実施例１における画像形成装置は、電源スイッチを介して入力される交流（以下「ＡＣ」という。）電力を所望の直流（以下「ＤＣ」という。）電力に変換するフライバック方式のスイッチング電源である電源装置と、そのＤＣ電力により駆動される負荷側の画像形成装置本体としてのプリンタ本体と、を備えている。以下、プリンタ本体と電源装置の構成及び動作を説明する。
【００１５】
（実施例１のプリンタの構成）
図２は、本発明の実施例１におけるプリンタ本体の構成を示す概略の斜視図である。
【００１６】
このプリンタ本体１０は、例えば、ドットインパクト方式のシリアルプリンタ本体であり、キャリッジユニット１１を備えている。キャリッジユニット１１は、キャリッジシャフト１１ａにより上下方向を固定され、用紙等の印刷媒体に印字するための印字ヘッド１１ｂが搭載されている。キャリッジユニット１１には、ベルト１２が固定されている。ベルト１２は、プーリ１３とスペースモータ１４のギヤ部との間に張設されている。ベルト１２には、スペースモータ１４のギヤ部と噛み合うように凹凸が形成され、プーリ１３により水平に張られている。プーリ１３は、スペースモータ１４とキャリッジユニット１１の支点となり、ベルト１２の移動に合わせて回転する。スペースモータ１４のギヤ部には、ベルト１２と噛み合う凹凸が形成されている。キャリッジユニット１１は、スペースモータ１４のギヤ部が回転することにより、ベルト１２を介して左右水平方向に移動する構成になっている。
【００１７】
このような構成において、印字ヘッド１１ｂ及びスペースモータ１４は、図示しない制御部側の印字指令に基づき動作するドライバにより駆動される。印字ヘッド１１ｂが動作すると、インクを吸着させた図示しないインクリボンに、その印字ヘッド１１ｂが叩き付けられ、図示しない印刷媒体に印刷される。このプリンタ本体１０では、印刷媒体としての複写用紙への重ね印刷等ができるという特徴がある。
【００１８】
（比較例の電源装置の構成）
図３は、本発明の実施例１の比較例を示す電源装置の構成ブロック図である。
【００１９】
この電源装置２０は、プリンタ本体１０内のスペースモータ１４及び印字ヘッド１１ｂの動作を制御する制御部５０に対してＤＣ電力を供給する装置であり、例えば、図示しない電源基板上に搭載されている。
【００２０】
電源装置２０は、ＡＣスイッチ部２１を有し、このＡＣスイッチ部２１に対して、ＡＣ入力部２２、１次フィルタ部２３、整流部２４、及び平滑部２５が縦続接続されている。
【００２１】
ＡＣスイッチ部２１は、電源スイッチとしてのＡＣスイッチ２１ａを有し、このＡＣスイッチ２１ａのオン／オフ操作により、ＡＣ電力の入力を通電／遮断するものであり、ＡＣ入力部２２のコネクタに接続されている。ＡＣ入力部２２は、商用ＡＣ電力が入力される前記コネクタを有し、このコネクタに、１次フィルタ部２３が接続されている。１次フィルタ部２３は、１次側のノイズを除去する回路であり、この回路に、整流部２４が接続されている。整流部２４は、入力されたＡＣ電力を全波整流する回路であり、この回路に、平滑部２５が接続されている。平滑部２５は、整流部２４で全波整流された波形を平滑する回路である。平滑部２５には、変圧器（以下「トランス」という。）２６が接続されている。
【００２２】
トランス２６は、１次側と２次側を絶縁し、且つ２次側にエネルギを供給するフライバック型のトランスであり、１次巻線２６ａ、補助巻線２６ｂ、及び２次巻線２６ｃにより構成されている。１次巻線２６ａには、回生部２７、スイッチング部２８、電流検出部２９、及び、スイッチング制御用の集積回路（以下「ＩＣ」という。）で構成された制御ＩＣ３０が接続されている。補助巻線２６ｂは、制御ＩＣ３０の電源供給用の巻線であり、これには整流／平滑部３３を介して制御ＩＣ３０が接続されている。制御ＩＣ３０には、フィードバック部３１、及び動作停止通知部３２が接続されている。更に、２次巻線２６ｃには、整流部３４、平滑部３５、ブリーダ抵抗部３６、平滑部３７、２次側出力部３８、フィードバック用基準電圧部３９、フィードバック部４０、及び動作停止通知部４１が接続されている。
【００２３】
回生部２７は、１次巻線２６ａに並列接続され、スイッチング部２８をオフした際に、１次巻線２６ａより発生する逆起電圧の回生ルートを形成する回路である。スイッチング部２８は、１次巻線２６ａに流す電流をスイッチングするためのスイッチング素子（例えば、電界効果トランジスタ、以下「ＦＥＴ」という。）を有し、このＦＥＴに、電流検出部２９が接続されている。電流検出部２９は、スイッチング部２８内のＦＥＴに流れる電流値を電圧値に変換する回路であり、この出力側に、制御ＩＣ３０が接続されている。整流／平滑部３３は、補助巻線２６ｂの出力電圧を整流／平滑する回路であり、この整流／平滑された電圧が制御ＩＣ３０に供給される。
【００２４】
フィードバック部３１は、トランス２６の２次側のフィードバック部４０が動作することにより連動して動作する回路であり、この出力側が、制御ＩＣ３０に接続されている。動作停止通知部３２は、トランス２６の２次側の動作停止通知部４１が動作することにより連動して動作する回路であり、この出力側が、制御ＩＣ３０に接続されている。
【００２５】
制御ＩＣ３０は、フィードバック部３１の出力電圧と電流検出部２９の出力電圧とを比較し、スイッチング部２８のオン／オフ時間を制御し、更に、動作停止通知部３２の出力電圧を監視し、この出力電圧が制御ＩＣ３０内で予め定められた電圧値以上となった場合、スイッチング部２８のスイッチングを強制的に停止させ、且つ、平滑部２５の出力電圧が、制御ＩＣ３０内で予め定められた電圧値以下とならない限り、スイッチング部２８のスイッチング停止を継続させる機能を有している。
【００２６】
２次巻線２６ｃに接続された整流部３４は、その２次巻線２６ｃの出力電力を整流する回路であり、この出力側に、平滑部３５及び動作停止通知部４１が接続されている。平滑部３５は、整流部３４で整流された出力電力を平滑する回路であり、この出力側に、ブリーダ抵抗部３６及びフィードバック部４０が接続されている。ブリーダ抵抗部３６は、出力電圧が無負荷時に上がりすぎないように常時電流を流すための抵抗を有する回路（即ち、２次側出力軽負荷時の２次巻線電圧低下防止用の抵抗を有する回路）であり、この出力側に、平滑部３７が接続されている。平滑部３７は、ブリーダ抵抗部３６の出力電流を再度平滑し、ブリーダ抵抗部３６から出力される２次側出力電圧の安定化を図る回路であり、この出力側に、２次側出力部３８及びフィードバック用基準電圧部３９が接続されている。
【００２７】
フィードバック用基準電圧部３９は、平滑部３７から出力される２次側出力電圧を分圧した基準電圧を生成する回路であり、この出力側に、フィードバック部４０が接続されている。フィードバック部４０は、フィードバック用基準電圧部３９で生成される基準電圧を監視し、このフィードバック部４０内の基準電圧よりも、フィードバック用基準電圧部３９の基準電圧が大きい場合に動作する回路である。フィードバック部４０が動作することにより、１次側のフィードバック部３１が動作する。動作停止通知部４１は、整流部３４の出力電圧を監視し、ある一定電圧以上の過電圧を検出した場合、又は、制御部５０から送信されるアラーム信号ＡＬＭ−Ｐにより、動作する回路である。２次側の動作停止通知部４１が動作することにより、１次側の動作停止通知部３２が動作する。
【００２８】
平滑部３７の出力側に接続された２次側出力部３８は、電源装置２０の２次側出力電力であるＤＣ電力を出力するコネクタを有し、このコネクタに、制御部５０が接続されている。
【００２９】
制御部５０は、プリンタ本体１０の動作を制御するものであり、例えば、制御基板上に搭載されている。この制御部５０は、２次側入力部５１、演算／処理部５２、スペースモータ用ドライバ５３、印字ヘッド用ドライバ５４、及びドライバアラーム検出部５５等を有している。
【００３０】
２次側入力部５１は、２次側出力部３８から出力されるＤＣ電力を制御部５０内の各回路に供給するためのコネクタを有している。演算／処理部５２は、制御部５０を制御するものであり、中央処理装置（以下「ＣＰＵ」という。）や大規模集積回路（以下「ＬＳＩ」という。）等により構成されている。スペースモータ用ドライバ５３は、演算／処理部５２から出力される制御信号に基づき、スペースモータ１４を回転動作させるための駆動信号を出力する回路である。印字ヘッド用ドライバ５４は、演算／処理部５２から出力される制御信号に基づき、印字ヘッド１１ｂを動作させるための駆動信号を出力する回路である。更に、ドライバアラーム検出部５５は、印字ヘッド用ドライバ５４が故障した場合に、アラーム信号ＡＬＭ−Ｐを電源装置２０内の動作停止通知部４１へ送信する回路である。
【００３１】
図４は、図３の電源装置２０の構成例を示す回路図である。
図３中のＡＣスイッチ部２１に接続されたＡＣ入力部２２は、ＡＣ電力が入力されるコネクタ２２ａを有している。コネクタ２２ａは、電源線ＡＣ−Ｌ，ＡＣ−Ｎ及び接地線ＦＧに接続され、その電源線ＡＣ−Ｌに、１次側の過電流保護を行うためのヒューズ２２ｂの一方の電極が接続されている。ヒューズ２２ｂの他方の電極、電源線ＡＣ−Ｎ、及び接地線ＦＧには、ノイズ除去用の１次フィルタ部２３が接続されている。
【００３２】
１次フィルタ部２３は、ヒューズ２２ｂの他方の電極と電源線ＡＣ−Ｎとの間に直列に接続された抵抗２３ａ，２３ｂと、この抵抗２３ａ，２３ｂに並列に接続されたコンデンサ２３ｃと、電源線ＡＣ−Ｌ，ＡＣ−Ｎに直列に接続されたチョークコイル２３ｄと、このチョークコイル２３ｄの出力電極間に直列に接続されたコンデンサ２３ｅ，２３ｆと、接地線ＦＧに直列に接続されたコンデンサ２３ｇとにより構成されている。コンデンサ２３ｅとコンデンサ２３ｆとの接続点は、接地線ＦＧに接続されている。抵抗２３ａ，２３ｂは、コンデンサ２３ｃの放電用の抵抗である。この１次フィルタ部２３の出力側には、整流部２４が接続されている。
【００３３】
整流部２４は、１次フィルタ部２３から出力されたＡＣ電力を整流するための全波整流ダイオードにより構成され、この全波整流ダイオードの一方の出力電極に、平滑部２５が接続されている。平滑部２５は、全波整流後の電流を平滑する電解コンデンサ２５ａを有している。電解コンデンサ２５ａには、抵抗２５ｂ，２５ｃが並列に接続されている。抵抗２５ｂ，２５ｃは、直列に接続され、電解コンデンサ２５ａを放電するための抵抗である。整流部２４を構成する全波整流ダイオードの他方の出力電極と、電解コンデンサ２５ａの−側電極との間には、ＡＣ入力オン時の突入電流防止用のパワーサーミスタ２５ｄが接続されている。平滑部２５の出力側には、トランス２６が接続されている。
【００３４】
トランス２６において、１次巻線２６ａにおける巻き初め端子１Ｐｉｎと巻き終わり端子３Ｐｉｎとの間には、回生部２７が接続され、更に、その巻き初め端子１Ｐｉｎに、スイッチング部２８が接続されている。
【００３５】
回生部２７は、１次巻線２６ａの巻き終わり端子３Ｐｉｎに直列に接続された抵抗２７ａ，２７ｂと、この抵抗２７ａ，２７ｂに並列に接続されたコンデンサ２７ｃと、その抵抗２７ｂと１次巻線２６ａの巻き初め端子１Ｐｉｎとの間に逆方向に接続されたダイオード２７ｄとにより、構成されている。スイッチング部２８は、１次巻線２６ａの巻き初め端子１Ｐｉｎに直列に接続されたＦＥＴ２８ａと、このＦＥＴ２８ａのドレイン・ソース間に接続された寄生容量２８ｂと、そのＦＥＴ２８ａのゲートにコイル２８ｃを介して接続された抵抗２８ｄとにより、構成されている。ＦＥＴ２８ａは、１次巻線２６ａに流れる電流をスイッチングする電界効果トランジスタである。ＦＥＴ２８ａをオフした際に、１次巻線２６ａから発生する逆起電圧は、回生部２７により回生される。
【００３６】
ＦＥＴ２８ａのソースと平滑部２５との間には、電流検出部２９を構成する電流検出用の抵抗２９ａが接続されている。コイル２８ｃと抵抗２８ｄとの接続点は、並列接続された抵抗２８ｅ及びダイオード２８ｆを介して、制御ＩＣ３０に接続されている。抵抗２８ｅとパワーサーミスタ２５ｄとの間には、ダイオード２８ｇが接続されている。ＦＥＴ２８ａのソースは、直列接続された抵抗２９ｂ，２９ｃを介して、制御ＩＣ３０に接続されている。
【００３７】
トランス２６の補助巻線２６ｂにおける巻き終わり端子５Ｐｉｎ及び巻き初め端子６Ｐｉｎは、整流／平滑部３３を介して、制御ＩＣ３０の電源端子に接続されている。整流／平滑部３３は、補助巻線２６ｂの巻き初め端子６Ｐｉｎに順方向に接続された整流用のダイオード３３ａと、このダイオード３３ａに並列に接続されたコンデンサ３３ｂと、そのダイオード３３ａのカソードに直列に接続された抵抗３３ｃ及びコイル３３ｄと、このコイル３３ｄと補助巻線２６ｂの巻き終わり端子５Ｐｉｎとの間に接続された平滑用の電解コンデンサ３３ｅとを有している。補助巻線２６ｂの出力電力は、整流用ダイオード３３ａで整流された後、抵抗３３ｃ及びコイル３３ｄを介して、制御ＩＣ３０用の電解コンデンサ３３ｅにより平滑され、制御ＩＣ３０の電源端子に供給される。
【００３８】
電解コンデンサ３３ｅには、ツェナーダイオード３３ｆ、及び外付け用の抵抗３３ｈがそれぞれ並列に接続されている。電解コンデンサ３３ｅの−側電極と、電解コンデンサ２５ａの−側電極とは、例えば、抵抗値が０Ωの抵抗３３ｇにより接続され、０Ｖが同電位になるように構成されている。コイル３３ｄは、コンデンサ３３ｉを介して、制御ＩＣ３０に接続されている。抵抗２９ｃは、コンデンサ３３ｊを介して、補助コイル２６ｂの巻き終わり端子５Ｐｉｎに接続されている。
【００３９】
制御ＩＣ３０は、ＦＥＴ２８ａのオン／オフを制御する素子（例えば、富士電機製のスイッチング電源制御用ＩＣ）であり、ゼロ電流検出入力（ＺＣＤ）端子１Ｐｉｎ、フィードバック（ＦＢ）端子２Ｐｉｎ、電流センス（ＩＳ）端子３Ｐｉｎ、グランド（ＧＮＤ）端子４Ｐｉｎ、出力（ＯＵＴ）端子５Ｐｉｎ、電源（ＶＣＣ）端子６Ｐｉｎ、未使用（ＮＣ）端子７Ｐｉｎ、及び高電圧入力（ＶＨ）端子を有している。
【００４０】
制御ＩＣ３０において、ＺＣＤ端子１Ｐｉｎには、動作停止通知部３２を構成するフォトカプラの受光側トランジスタ３２ａのエミッタと、抵抗３２ｃの一方の電極と、コンデンサ３２ｄの一方の電極とが接続されている。受光側トランジスタ３２ａのコレクタは、抵抗３２ｂ、コイル３３ｄ、抵抗３３ｃ、及び逆方向の整流用ダイオード３３ａを介して、補助巻線２６ｂの巻き初め端子６Ｐｉｎに接続されている。抵抗３２ｃの他方の電極は、補助巻線２６ｂの巻き初め端子６Ｐｉｎに接続されている。更に、コンデンサ３２ｄの他方の電極は、補助巻線２６ｂの巻き終わり端子５Ｐｉｎに接続されている。
【００４１】
ＦＢ端子２Ｐｉｎは、フィードバック部３１を構成するフォトカプラの受光側トランジスタ３１ａのコレクタに接続されている。受光側トランジスタ３１ａのエミッタは、補助巻線２６ｂの巻き終わり端子５Ｐｉｎに接続されている。受光側トランジスタ３１ａのコレクタ及びエミッタ間には、コンデンサ３１ｂが並列に接続されている。ＩＳ端子３Ｐｉｎは、抵抗２９ｃ，２９ｂを介して、ＦＥＴ２８ａのソースに接続されると共に、コンデンサ３３ｊを介して、補助巻線２６ｂの巻き終わり端子５Ｐｉｎに接続されている。ＧＮＤ端子４Ｐｉｎは、補助巻線２６ｂの巻き終わり端子５Ｐｉｎに接続され、更に、コンデンサ３３ｉ、コイル３３ｄ、抵抗３３ｃ、及び逆方向の整流用ダイオード３３ａを介して、補助巻線２６ｂの巻き初め端子６Ｐｉｎに接続されている。
【００４２】
ＯＵＴ端子５Ｐｉｎは、抵抗２８ｅ及びコイル２８ｃを介して、ＦＥＴ２８ａのゲートに接続されている。ＶＣＣ端子６Ｐｉｎは、コイル３３ｄ、抵抗３３ｃ、及び逆方向の整流用ダイオード３３ａを介して、補助巻線２６ｂの巻き初め端子６Ｐｉｎに接続されている。更に、ＶＨ端子８Ｐｉｎは、抵抗２５ｅを介して、電解コンデンサ２５ａの＋側電極に接続されている。
【００４３】
このような制御ＩＣ３０は、次のような機能を有している。
動作停止通知部３２を構成するフォトカプラの受光側トランジスタ３２ａがオンすると、ＺＣＤ端子１Ｐｉｎの電位が上昇し、ＺＣＤ端子１Ｐｉｎ内に予め設定されているＦＥＴスイッチングのオフ基準電圧よりも、ＺＣＤ端子１Ｐｉｎの電位が大きくなることにより、ＦＥＴ２８ｂのスイッチングを強制的に停止させラッチする機能を有している。スイッチング停止のラッチを解除する条件として、ＶＨ端子８Ｐｉｎ内に予め設定されているスイッチング停止解除の基準電圧値よりも、ＶＨ端子８Ｐｉｎの電位が低くなれば、スイッチング停止のラッチ状態を解除する機能を有している。なお、フォトカプラの受光側トランジスタ３１ａが接続されている制御ＩＣ３０におけるＦＢ端子２Ｐｉｎの電位と、ＦＥＴ２８ａに流れる電流を電圧に変換する抵抗２９ａの電位とを比較し、ＦＥＴ２８ａのオン時間を調整するようになっている。
【００４４】
トランス２６の２次巻線２６ｃは、巻き初め端子９Ｐｉｎ及び巻き終わり端子１１Ｐｉｎを有している。巻き終わり端子１１Ｐｉｎは、コンデンサ２６ｄを介して、抵抗３３ｇの一方の電極に接続されている。巻き初め端子９Ｐｉｎには、整流部３４が接続されている。整流部３４は、２次巻線２６の出力電流を整流する回路であり、並列接続された整流用ダイオード３４ａ，３４ｂと、この整流用ダイオード３４ａ，３４ｂにそれぞれ並列接続されたコンデンサ３４ｃ，３４ｄと、により構成されている。この整流部３４の出力側には、平滑部３５、ブリーダ抵抗部３６、平滑部３７、及び２次側出力部３８が縦続接続されている。
【００４５】
平滑部３５は、整流部３４で整流された電流を平滑する回路であり、整流用ダイオード３４ａ，３４ｂのカソードと、２次巻線２６の巻き終わり端子１１Ｐｉｎと、の間に並列に接続された電解コンデンサ３５ａ，３５ｂにより構成されている。ブリーダ抵抗部３６は、２次側軽負荷時の出力電圧低下を抑制する回路であり、電解コンデンサ３５ａ，３５ｂに並列接続された複数のブリーダ抵抗３６ａ，３６ｂ，３６ｃ，３６ｄにより構成されている。平滑部３７は、２次側出力電圧の平滑化（安定化）を行う回路であり、コイル３７ａ、電解コンデンサ３７ｂ、及びコンデンサ３７ｃにより構成されている。２次側出力部３８は、平滑された２次側出力電圧（例えば、ＤＣ２４Ｖ）を図３中の制御部５０へ出力するための出力コネクタ３８ａを有している。出力コネクタ３８ａの０Ｖ側電極は、コンデンサ３８ｂ，３８ｃを介してグランドＧＮＤに接続されている。
【００４６】
平滑部３７の出力側には、フィードバック用基準電圧部３９が接続され、平滑部３５の出力側にも、フィードバック部４０が接続されている。更に、整流部３４の出力側にも、動作停止通知部４１が接続されている。
【００４７】
フィードバック用基準電圧部３９は、平滑部３７のＤＣ出力電圧を分圧して基準電圧を生成し、この基準電圧をフィードバック部４０に与える回路である。このフィードバック用基準電圧部３９は、分圧用の抵抗３９ａ、可変抵抗３９ｂ、及び抵抗３９ｃを有し、これらの抵抗３９ａ，３９ｂ，３９ｃが、電解コンデンサ３７ｂの＋側電極と動作停止通知部４１との間に、直列に接続されている。
【００４８】
フィードバック部４０は、電圧を一定にするシャントレギュレータ４０ａ、抵抗４０ｂ，４０ｃ，４０ｄ、外付け用コンデンサ４０ｅ、コンデンサ４０ｆ、及びフォトカプラの発光部４０ｇを有している。
【００４９】
シャントレギュレータ４０ａのリファレンス電極には、フィードバック用基準電圧部３９で生成された基準電圧が入力される。シャントレギュレータ４０ａのアノードは、電解コンデンサ３７ｂの−側電極に接続されている。シャントレギュレータ４０ａのカソードは、フォトカプラの発光部４０ｇのカソードに接続され、この発光部４０ｇのアノードが、抵抗４０ｂを介して、コイル３７ａの入力側電極に接続されている。シャントレギュレータ４０ａのリファレンス電極と、発光部４０ｇのアノードとの間には、直列接続された抵抗４０ｄ及び外付け用コンデンサ４０ｅが、並列に接続されている。抵抗４０ｄと外付け用コンデンサ４０ｅとの接続点は、発光部４０ｇのカソードに接続されている。シャントレギュレータ４０ａのリファレンス電極とカソードとの間には、直列接続された抵抗４０ｃ及びコンデンサ４０ｆが、並列に接続されている。
【００５０】
フィードバック部４０において、電解コンデンサ３７ｂの＋側電極における２次側出力電圧が上昇し、シャントレギュレータ４０ａ内の基準電圧よりも、分圧用抵抗３９ｃの電位が高くなった場合、シャントレギュレータ４０ａのアノード及びカソード間が導通する。これにより、発光部４０ｇに電流が流れてこの発光部４０ｇが発光する。逆に、２次側出力電圧が低くなり、シャントレギュレータ４０ａ内の基準電圧よりも、分圧用抵抗３９ｃの電位が低くなった場合、シャントレギュレータ４０ａのアノード及びカソード間が導通せず、発光部４０ｇも発光しない構成になっている。
【００５１】
動作停止通知部４１は、ツェナーダイオード４１ａ、抵抗４１ｂ，４１ｃ，４１ｄ、ダイオード４１ｅ、及びフォトカプラの発光部４１ｆを有している。ツェナーダイオード４１ａのカソードは、電解コンデンサ３５ａの＋側電極に接続されている。ツェナーダイオード４１ａのアノードは、抵抗４１ｂ及び発光部４１ｆを介して、電解コンデンサ３７ｂの−側電極に接続されている。発光部４１ｆのアノード及びカソード間には、抵抗４１ｃが並列に接続されている。異常状態であることを示すアラーム信号ＡＬＭ−Ｐは、抵抗４１ｄ及びダイオード４１ｅを介して、ツェナーダイオード４１ａのアノードに入力される。
【００５２】
動作停止通知部４１において、２次側出力電圧がツェナーダイオード４１ａのツェエナー電位を超える過電圧状態、又は、アラーム信号ＡＬＭ−Ｐが抵抗４１ｄ及びダイオード４１ｅを介してツェナーダイオード４１ａのアノードに入力されると、フォトカプラの発光部４１ｆが発光するようになっている。
【００５３】
（比較例の動作）
図３及び図４に示す画像形成装置における全体の概略動作を説明する。
【００５４】
電源装置２０において、商用ＡＣ電力がＡＣスイッチ部２１を介してＡＣ入力部２２に入力される。入力されたＡＣ電力は、１次フィルタ部２３でノイズが除去され、整流部２４で全波整流された後、平滑部２５で平滑される。平滑されたＤＣ電圧は、制御ＩＣ３０のＰＷＭ制御により、スイッチング部２８でオン／オフされ、トランス２６の１次巻線２６ａに供給される。すると、トランス２６の２次巻線２６ｃから、１次巻線２６ａと２次巻線２６ｃの巻数比に応じたＡＣ電圧が出力される。このＡＣ電圧は、整流部３４で整流された後、平滑部３５で平滑される。平滑されたＤＣ電圧は、ブリーダ抵抗部３６を介して、平滑部３７で再度平滑される。再度平滑されたＤＣ電圧は、２次側出力部３８から出力される。
【００５５】
２次側出力部３８から出力されたＤＣ電圧は、制御部５０内の２次側入力部５１に入力され、演算／処理部５２にて所定の演算及び処理が行われ、プリンタ本体１０を駆動するための制御信号が生成される。生成された制御信号は、スペースモータ用ドライバ５３及び印字ヘッド用ドライバ５４によりそれぞれ駆動される。この駆動信号により、プリンタ本体１０側のスペースモータ１４が回転すると共に、印字ヘッド１１ｂが動作し、図示しない印刷媒体に印字される。
【００５６】
電源装置２０内の平滑部３７から出力されるＤＣ出力電圧が、フィードバック用基準電圧部３９内の基準電圧よりも大きくなると、フィードバック部４０内のフォトカプラの発光部４０ｇが発光する。すると、１次側のフィードバック部３１内におけるフォトカプラの受光側トランジスタ３１ａがオンし、制御ＩＣ３０におけるＦＢ端子２Ｐｉｎの電位が引き下げられる。スイッチング部２８内のＦＥＴ２８ａに流れる電流は、抵抗２９ａにより電圧に変換され、この変換された電圧が、抵抗２９ｂ，２９ｃを介して、制御ＩＣ３０のＩＳ端子３Ｐｉｎに印加される。
【００５７】
制御ＩＣ３０では、ＦＢ端子２Ｐｉｎの電位とＩＳ端子３Ｐｉｎの電位とを比較し、この比較結果に基づき、ＰＷＭ制御により、ＦＥＴ２８ａのオン時間が短くなるように調整したスイッチ切替信号をＯＵＴ端子５Ｐｉｎから出力する。出力されたスイッチ切替信号は、抵抗２８ｅ及びコイル２８ｃを介して、ＦＥＴ２８ａのゲートに印加され、ＦＥＴ２８ａのオン時間が短くなる。これにより、平滑部３７から出力されるＤＣ出力電圧が小さくなる。
【００５８】
平滑部３７から出力されるＤＣ出力電圧が、フィードバック用基準電圧部３９内の基準電圧よりも小さくなると、フィードバック部４０内のフォトカプラの発光部４０ｇが発光しない。そのため、１次側のフィードバック部３１内におけるフォトカプラの受光側トランジスタ３１ａがオフし、制御ＩＣ３０におけるＦＢ端子２Ｐｉｎの電位が上昇する。すると、制御ＩＣ３０は、ＦＥＴ２８ａのオン時間が長くなるように調整したスイッチ切替信号をＯＵＴ端子５Ｐｉｎから出力するので、ＦＥＴ２８ａのオン時間が長くなる。これにより、平滑部３７から出力されるＤＣ出力電圧が大きくなる。このようにしてＤＣ出力電圧の変動が抑制される。
【００５９】
図５は、図３及び図４中のアラーム信号処理の動作を示すフローチャートである。
ステップＳ１において、電源装置２０が前述したように通常の動作をしている。ステップＳ２において、制御部５０内のドライバ５３，５４等が故障した場合、これがドライバアラーム検出部５５により検出され、このドライバアラーム検出部５５からアラーム信号ＡＬＭ−Ｐが出力され、電源装置２０へ送信される。ステップＳ３において、アラーム信号ＡＬＭ−Ｐが電源装置２０に入力されると、動作停止通知部４１内のフォトカプラの発光部４１ｆが発光する。
【００６０】
ステップＳ４において、発光部４１ｆが発光すると、動作停止通知部３２内のフォトカプラの受光側トランジスタ３２ａがオンする。ステップＳ５において、トランス２６における補助巻線２６ｂの巻き終わり端子５Ｐｉｎ及び巻き初め端子６Ｐｉｎ間の巻線電圧が、ダイオード３３ａ、抵抗３３ｃ、コイル３３ｄ、抵抗３２ｂ、及び受光側トランジスタ３２ａを介して、制御ＩＣ３０のＺＣＤ端子１Ｐｉｎに掛かる。ステップＳ６において、制御ＩＣ３０は、ＺＣＤ端子１Ｐｉｎの電圧と、制御ＩＣ３０内に予め設定されているＦＥＴスイッチングオフ基準電圧とを比較する。
【００６１】
（ＺＣＤ端子１Ｐｉｎの電圧）≧（制御ＩＣ３０内のＦＥＴスイッチングオフ基準電圧）の場合（Ｙｅｓ）、ステップＳ７へ進む。ステップＳ７において、制御ＩＣ３０は、ＯＵＴ端子５Ｐｉｎをオフし、抵抗２８ｅ、コイル２８ｃ及びＦＥＴ２８ａのゲートを介して、ＦＥＴ２８ａのスイッチングを停止させる。（ＺＣＤ端子１Ｐｉｎの電圧）＜（制御ＩＣ３０内のＦＥＴスイッチングオフ基準電圧）の場合（Ｎｏ）、ステップＳ５に戻る。この場合は、制御ＩＣ３０は、ＺＣＤ端子１Ｐｉｎの電圧が上昇するまで、ＦＥＴ２８ａのスイッチングを停止させない。
【００６２】
ステップＳ８において、制御ＩＣ３０は、ＶＨ端子８Ｐｉｎの電圧（＝電解コンデンサ２５ａの＋側電極の電圧）と、制御ＩＣ３０内に予め設定されているＦＥＴ２８ａのスイッチング停止解除の基準電圧とを比較する。（ＶＨ端子８Ｐｉｎの電圧）＞（ＦＥＴ２８ａのスイッチング停止解除の基準電圧）の場合（Ｎｏ）、ステップＳ９へ進み、（ＶＨ端子８Ｐｉｎの電圧）≦（ＦＥＴ２８ａのスイッチング停止解除の基準電圧）の場合（Ｙｅｓ）、ステップＳ１２へ進む。
【００６３】
ステップＳ９において、ＡＣ入力電力を電源装置２０に供給するためのＡＣスイッチ部２１のＡＣスイッチ２１ａがオフされていない場合（Ｎｏ）、ステップＳ１０へ進み、ＡＣスイッチ２１ａがオフされた場合（Ｙｅｓ）、ステップＳ１１へ進む。ステップＳ１０において、電解コンデンサ２５ａに電圧が供給され続けるため、電解コンデンサ２５ａの電圧が垂下しない。そのため、ＡＣスイッチ２１ａをオフしない限り、ＦＥＴ２８ａのスイッチング停止動作が継続される（即ち、ラッチされる）。その後、ステップＳ８へ戻る。
【００６４】
ステップＳ１１において、ＡＣスイッチ２１ａがオフされているので、ＡＣ入力電力が電源装置２０に供給されなくなる。そのため、電解コンデンサ２５ａに電圧が供給されなくなり、この電解コンデンサ２５ａの電圧が、抵抗２５ｂ，２５ｃで放電されて垂下し始める。電解コンデンサ２５ａの電圧は、この電解コンデンサ２５ａと抵抗２５ｂ，２５ｃの時定数により、垂下していく。その後、ステップＳ８へ戻る。
【００６５】
再び、ステップＳ８において、制御ＩＣ３０は、ＶＨ端子８Ｐｉｎの電圧と、制御ＩＣ３０内に設定されているＦＥＴ２８ａのスイッチング停止解除の基準電圧とを比較する。（ＶＨ端子８Ｐｉｎの電圧）≦（ＦＥＴ２８ａのスイッチング停止解除の基準電圧）の場合（Ｙｅｓ）、ステップＳ１２へ進む。ステップＳ１２において、制御ＩＣ３０は、ＦＥＴ２８ａのスイッチング停止のラッチを解除する。そのため、ステップＳ１３において、処理が終了し、電源再供給が可能状態になる。
【００６６】
次に、制御部５０から電源装置２０へ、アラーム信号ＡＬＭ−Ｐを送信した際のＦＥＴスイッチング停止の意義を説明する。
【００６７】
制御部５０がアブノーマル状態（異常状態）である場合に、電源装置２０へアラーム信号ＡＬＭ−Ｐを送信し、電源装置２０内の１次側ＦＥＴ２８ａのスイッチングを停止させ、電源装置２０の２次側出力電力を遮断させる（これにより、画像形成装置の電源が切れる状態になる）。且つ、ＦＥＴ２８ａのスイッチング停止動作において、ＡＣスイッチ２１ａがオン状態の時は、継続してＦＥＴ２８ａのスイッチング停止が保持されるが、ＡＣスイッチ２１ａがオフ状態においても、約数分間程度（即ち、電解コンデンサ２５ａの＋側電極の電圧が、制御ＩＣ３０内のＦＥＴスイッチング停止解除の基準電圧まで低下するまで）、ＦＥＴ２８ａのスイッチング停止を保持し、その後、ＡＣスイッチ２１ａのオンにより、ＡＣ電力再供給を可能にする必要がある。
【００６８】
これは、ＡＣスイッチ２１ａのオフ後、約数分間程度経過しなければ（即ち、電解コンデンサ２５ａの＋側電極の電圧が、制御ＩＣ３０内のＦＥＴスイッチング停止解除の基準電圧まで低下しなければ）、ＡＣスイッチ２１ａをオンしても、電源装置２０はＦＥＴ２８ａのスイッチング停止状態を保持し、電源装置２０の２次側出力電力が制御部５０に入らない状態になるからである。
【００６９】
ＡＣスイッチ２１ａのオフ状態においても、約数分間程度、ＦＥＴ２８ａのスイッチング停止を保持するのは、ユーザへ装置故障を認識させるためである。
【００７０】
つまり、何らかの不具合でＦＥＴ２８ａのスイッチング停止動作となり、電源装置２０の２次側出力電力が遮断し、画像形成装置の電源がオフした場合、多くのユーザは、先ず初めにＡＣスイッチ２１ａをオフ状態にし、直ぐにオン状態にすると考えられるが、画像形成装置の電源が入らなければ、“故障した”と考えるためである。
【００７１】
図６は、ＡＣスイッチ２１ａのオフ後の図４中の電解コンデンサ２５ａの残電圧についての説明図である。
【００７２】
図６の横軸は時間（秒）、縦軸は電圧（Ｖ）である。この図６では、ＡＣスイッチ２１ａのオフ後の電解コンデンサ２５ａに蓄えられた電荷に基づく残電圧の電圧曲線６０と、ＦＥＴ２８ａのスイッチング停止解除の基準電圧線６１とが図示されている。
【００７３】
電解コンデンサ２５ａは、通常、電源装置２０の２次側負荷の変動に対しても２次側出力電力を満足するエネルギを供給できるように、電解コンデンサ２５ａの容量を選定し、放電用抵抗２５ｂ，２５ｃは、消費電力を小さくする観点から大きな値を選定する。例えば、以下の定数とした場合、
電解コンデンサ２５ａ：３３０μＦ
放電用抵抗２５ｂ：１００ｋΩ
放電用抵抗２５ｃ：１００ｋΩ
異常事態が発生し、電源装置２０にアラーム信号ＡＬＭ−Ｐが入力された場合を考えると、ＡＣスイッチ２１ａのオフ後、約２分３７秒経過後に、制御ＩＣ３０のＶＨ端子８Ｐｉｎの電圧６０が、制御ＩＣ３０内のＦＥＴスイッチング停止解除の基準電圧６１まで下がり、スイッチング停止のラッチ状態が解除され、ＡＣスイッチ２１ａの電源再供給可能となる。
【００７４】
例えば、ＡＣ入力電圧を２３０Ｖ設定とし、制御ＩＣ３０内のＦＥＴスイッチング停止解除の基準電圧を３０Ｖとした場合、ＡＣスイッチ２１ａのオフ後の電解コンデンサ２５ａの電圧は、電圧曲線６０となる。電解コンデンサ２５ａの電圧が３０Ｖとなり、ＡＣスイッチ２１ａのオフ後約２分３７秒（＝１５７秒）となった時点で、ＦＥＴ２８ａのスイッチング停止が解除され、ＡＣスイッチ２１ａの電源再供給可能となる。
【００７５】
（比較例の問題）
近年、画像形成装置の低電力化が推進され、更に、ヨーロッパの低電力規制（ＥｒＰ指令）にて、画像形成装置を一定時間使用しない場合は、画像形成装置の電源を自動でオフさせるオートオフ機能を持つ必要性が出てきている。このオートオフ機能を満足させるために、例えば、図４の回路のアラーム信号ＡＬＭ−Ｐ、又は、過電圧検出で駆動する回路を使用して、電源装置２０の１次側ＦＥＴ２８ａをスイッチング停止させ、２次側出力電力を遮断し、オートオフ機能を対応させることが考えられる。
【００７６】
この場合、画像形成装置としては電源がオフしている状態となるが、ＡＣスイッチ２１ａのオフ後のＡＣ電力再供給において、ＡＣスイッチ２１ａをオフした状態にて約数分間程度経過しなければ（即ち、電解コンデンサ２５ａの＋側電極の電圧が、制御ＩＣ３０内のＦＥＴスイッチング停止解除の基準電圧まで低下しなければ）、ＡＣスイッチ２１ａをオンしても、ＦＥＴ２８ａのスイッチングが停止しているため、電源が供給できず、ＡＣ電力再供給におけるユーザの待ち時間が長いという問題がある。
【００７７】
そこで、図４の回路のアラーム信号ＡＬＭ−Ｐ、又は、過電圧検出で駆動する回路のＡＣスイッチ２１ａのオフ後のラッチ解除時間を短くすれば問題がないが、本回路の目的は、前述したように、ユーザへ装置故障を認識させるためであり、安易にＡＣスイッチ２１ａのオフ後のスイッチング停止のラッチ解除時間を短くすることができない。
このような問題を、以下の実施例１、２にて解決している。
【００７８】
（実施例１の電源装置の構成）
図１は、本発明の実施例１における電源装置の構成ブロック図であり、比較例を示す図３中の要素と共通の要素には共通の符号が付されている。
【００７９】
本実施例１の電源装置２０Ａでは、比較例の電源装置２０におけるトランス２６の１次側に、電圧供給部７０及び放電回路切り替え部７１が追加され、トランス２６の２次側の動作停止通知部４１に代えて、動作停止通知部４１とは異なる動作停止通知部７３と放電回路切り替え部７２が追加されている。更に、本実施例１の制御部５０Ａでは、比較例の制御部５０における演算／処理部５２に代えて、これとは機能の異なる演算／処理部５２Ａが設けられている。
【００８０】
本実施例１における１次側の電圧供給部７０は、１次フィルタ部２３の出力側と制御ＩＣ３０のＶＨ端子との間に接続され、１次フィルタ部２３内のコンデンサに蓄えられた電荷に基づく電圧（以下「コンデンサの電圧」という。）を、制御ＩＣ３０のＶＨ端子へ供給する回路である。１次側の放電回路切り替え部７１は、平滑部２５の出力側と制御ＩＣ３０のＶＨ端子との間に接続され、２次側の放電回路切り替え部７２の出力光を受光して動作し、平滑部２５内のコンデンサの電圧を、制御ＩＣ３０のＶＨ端子へ供給する回路である。２次側の放電回路切り替え部７２は、整流部３４の出力側に接続され、整流部３４の出力電圧を監視し、ある一定電圧以上の過電圧を検出した場合、又は、制御部５０Ａ内のドライバアラーム検出部５５から送信されるアラーム信号ＡＬＭ−Ｐにより発光し、１次側の放電回路切り替え部７１を動作させる回路である。１次側の放電回路切り替え部７１、２次側の放電回路切り替え部７２及び制御ＩＣ３０により、電源再供給時の電源供給を制限する所定時間を定める所定時間決定手段が構成されている。
【００８１】
２次側の動作停止通知部７３は、放電回路切り替え部７２が発光した場合又はオートオフ信号ＡＵＴＯ−ＯＦＦ−Ｐにより発光し、１次側の動作停止通知部３２を動作させる回路である。
【００８２】
制御部５０Ａ内の演算／処理部５２Ａは、制御部５０Ａを制御するものであり、ＣＰＵやＬＳＩ等により構成され、スペースモータ用ドライバ５３及び印字ヘッド用ドライバ５４を制御するための制御信号を出力すると共に、省電力信号としてのオートオフ信号ＡＵＴＯ−ＯＦＦ−Ｐを動作停止通知部７３に出力する機能を有している。オートオフ信号ＡＵＴＯ−ＯＦＦ−Ｐは、ユーザが画像形成装置を一定時間使用しない場合に、画像形成装置の電源を自動でオフさせる機能を動作させるトリガとなる信号であり、このオートオフ信号ＡＵＴＯ−ＯＦＦ−Ｐが電源装置２０Ａに入力された場合、電源装置２０Ａの２次側出力電力をオフし、且つ電源スイッチとしてのＡＣスイッチ２１ａを再供給する場合は、即ＡＣ供給可能にするための信号である。その他の構成は、図３の比較例の構成と同様である。
【００８３】
図７は、図１の電源装置２０Ａの構成例を示す回路図であり、比較例を示す図４中の要素と共通の要素には共通の符号が付されている。
【００８４】
本実施例１で追加された１次側の電圧供給部７０は、１次フィルタ部２３内のコンデンサ２３ｃの電圧を制御ＩＣ３０のＶＨ端子８Ｐｉｎへ供給する回路であり、ダイオード７０ａ、抵抗７０ｂ、及び複数のツェナーダイオード７０ｃ，７０ｄ，７０ｅを有している。これらのダイオード７０ａ、抵抗７０ｂ、及び複数のツェナーダイオード７０ｃ，７０ｄ，７０ｅは、コンデンサ２３ｅの＋側電極と制御ＩＣ３０のＶＨ端子８Ｐｉｎとの間に直列に接続されている。制御部としての制御ＩＣ３０と、スイッチング素子としてのＦＥＴ２８ａとにより、スイッチング手段が構成されている。コンデンサ３３ｅは、トランス補助巻線２６ｂの出力を半波整流した電圧をＩＣ３０のＶＣＣ端子に出力して充電される。又、制御ＩＣ３０は、制御ＩＣ３０のＶＨ端子に印加される電圧により動作する。
【００８５】
１次側の放電回路切り替え部７１は、２次側の放電回路切り替え部７２の出力光を受光して動作し、平滑部２５内の電解コンデンサ２５ａの電圧を制御ＩＣ３０のＶＨ端子８Ｐｉｎへ供給する回路であり、抵抗７１ａ、コンデンサ７１ｂ、ダイオード７１ｃ、抵抗７１ｄ，７１ｅ，７１ｆ、及びフォトトライアックカプラの受光側トライアック７１ｇを有している。受光側トライアック７１ｇは、放電回路切り替え部７２の出力光を受光するとオン状態になる素子であり、この受光側トライアック７１ｇのアノードが、平滑部２５内の電解コンデンサ２５ａの＋側電極に接続されている。受光側トライアック７１ｇのカソードは、ダイオード７１ｃ及び抵抗７１ｄを介して、制御ＩＣ３０のＶＨ端子８Ｐｉｎに接続されている。受光側トライアック７１ｇのカソードと、ダイオード７１ｃのアノードとの間には、抵抗７１ａ及びコンデンサ７１ｂが並列に接続されている。更に、受光側トライアック７１ｇのカソードと、電解コンデンサ２５ａの−側電極との間には、抵抗７１ｅ，７１ｆが直列に接続されている。
【００８６】
２次側の放電回路切り替え部７２は、ツェナーダイオード７２ａ、抵抗７２ｂ，７２ｃ、ダイオード７２ｄ、及びフォトトライアックカプラの発光部７２ｅを有している。アラーム信号ＡＬＭ−Ｐを入力する抵抗７２ｃは、ダイオード７２ｄ及び抵抗７２ｂを介して、発光部７２ｅのアノードに接続されている。ダイオード７２ｄと抵抗７２ｂとの接続点は、ツェナーダイオード７２ａを介して、整流部３４の＋側出力端子に接続されている。フォトトライアックカプラの発光部７２ｅは、電圧の印加によって発光し、フォトカプラの受光側トランジスタ７１ｇをオンさせる。フォトトライアックカプラの特性として、発光部７２ｅの発光がなくなっても、受光側トライアック７１ｇがオンし続ける特性を持つ。
【００８７】
２次側の動作停止通知部７３は、抵抗７３ａ，７３ｂ、ダイオード７３ｃ、及びフォトカプラの発光部７３ｄを有している。オートオフ信号ＡＵＴＯ−ＯＦＦ−Ｐを入力する抵抗７３ｂは、ダイオード７３ｃを介して、発光部７３ｄのアノードに接続されている。発光部７３ｄのアノード及びカソード間には、抵抗７３ａが並列に接続されている。フォトカプラの発光部７３ｄは、フォトカプラの発光部７２ｅの発光による電圧の印加、又はオートオフ信号ＡＵＴＯ−ＯＦＦ−Ｐによる電圧の印加によって発光し、フォトカプラの受光側トランジスタ３２ａをオンさせる。その他の構成は、図４の比較例の構成と同様である。
【００８８】
（実施例１の動作）
図８は、図１及び図７の電源装置２０Ａにおける全体の動作を示す概略のフローチャートである。
【００８９】
本実施例１の電源装置２０Ａでは、ステップＳ２１において、動作が開始されると、ステップＳ２２において、制御部５０Ａからのオートオフ信号ＡＵＴＯ−ＯＦＦ−Ｐ又はアラーム信号ＡＬＭ−Ｐの受信待ち状態になる。この受信待ち状態において、電源装置２０Ａは、比較例の電源装置２０と同様に、ＡＣ電力をＡＣスイッチ部２１及びＡＣ入力部２２を介して入力し、２次側出力部３８から安定したＤＣ電力を出力する。すると、制御部５０Ａ内のスペースモータ用ドライバ５３及び印字ヘッド用ドライバ５５により、図２のプリンタ本体１０側のスペースモータ１４及び印字ヘッド１１ｂがそれぞれ駆動され、印刷媒体に印字される。
【００９０】
ステップＳ２２において、電源装置２０Ａは、制御部５０Ａ内の演算／処理部５２Ａから出力されたオートオフ信号ＡＵＴＯ−ＯＦＦ−Ｐを受信すると、ステップＳ２３へ進み、オートオフ信号処理を行った後、動作を終了する。又、電源装置２０Ａは、制御部５０Ａ内のドライバアラーム検出部５５から出力されたアラーム信号ＡＬＭ−Ｐを受信すると、ステップＳ２４へ進み、アラーム信号処理を行った後、動作を終了する。
【００９１】
図９は、図８中のステップＳ２３のオートオフ信号処理の動作を示す電源装置２０Ａの構成ブロック図であり、図１の構成ブロック図に対応している。
【００９２】
この図９では、オートオフ信号ＡＵＴＯ−ＯＦＦ−Ｐが有効となり、電源装置２０Ａをオートオフする場合の信号の流れが太い実線で示されている。
【００９３】
図１０は、図８中のステップＳ２３のオートオフ信号処理の動作を示すフローチャートである。
【００９４】
この図１０では、オートオフ信号ＡＵＴＯ−ＯＦＦ−Ｐが有効となり、電源装置２０Ａをオートオフする場合の動作が示されている。
【００９５】
以下、図７及び図９を参照しつつ、図１０のフローチャートの処理を説明する。
図１０のステップＳ３１において、電源装置２０Ａが通常動作をしている。ステップＳ３２において、画像形成装置を使用しない期間が一定時間経過すると、制御部５０Ａ内の演算／処理部５２Ａがオートオフ信号ＡＵＴＯ−ＯＦＦ−Ｐを送信する。ステップＳ３３において、オートオフ信号ＡＵＴＯ−ＯＦＦ−Ｐが電源装置２０Ａ内の２次側の動作停止通知部７３に入力されると、この動作停止通知部７３内のフォトカプラの発光部７３ｄが発光する。ステップＳ３４において、フォトカプラの発光部７３ｄが発光することにより、１次側の動作停止通知部３２内の受光側トランジスタ３２ａがオンする。
【００９６】
ステップＳ３５において、トランス２６の補助巻線２６ｂにおける巻き終わり端子５Ｐｉｎ及び巻き初め端子６Ｐｉｎ間の巻線電圧が、整流／平滑部３３内のダイオード３３ａ、抵抗３３ｃ、コイル３３ｄ、及びアラーム部３２内のフォトカプラの受光側トランジスタ３２ａを介して、制御ＩＣ３０のＺＣＤ端子１Ｐｉｎに掛かる。ステップＳ３６において、制御ＩＣ３０は、ＺＣＤ端子電圧と、この制御ＩＣ３０内に予め設定されているＦＥＴスイッチングオフ基準電圧とを比較する。制御ＩＣ３０は、例えば、スイッチング停止基準電圧条件としてＺＣＤ端子電圧が７．２Ｖ以上でかつ５７μｓ以上継続で、制御ＩＣ３０のＯＵＴ出力パルスを停止する。（ＺＣＤ端子電圧）≧（制御ＩＣ３０内のＦＥＴスイッチングオフ基準電圧）の場合（Ｙｅｓ）は、ステップ３７へ進む。ステップＳ３７において、制御ＩＣ３０は、ＯＵＴ端子５Ｐｉｎをオフし、抵抗２８ｅを介して、スイッチング部２８内のＦＥＴ２８ａのスイッチングを停止させる。スイッチング停止で補助巻線２６ｂからのコンデンサＣ３３ｅの充電が停止する。（ＺＣＤ端子電圧）＜（制御ＩＣ３０内のＦＥＴスイッチングオフ基準電圧）の場合（Ｎｏ）は、ステップＳ３５に戻り、制御ＩＣ３０は、ＺＣＤ端子の電圧が上昇するまで、ＦＥＴ２８ａのスイッチングを停止させない。
【００９７】
ステップＳ３８において、制御ＩＣ３０は、ＶＣＣ端子電圧と、この制御ＩＣ３０内に予め設定されているＦＥＴ２８ａのスイッチング停止解除の基準電圧値とを比較する。（ＶＣＣ端子電圧）＞（制御ＩＣ３０内のＦＥＴスイッチング停止解除の基準電圧）例えば７Ｖより高い場合（Ｎｏ）は、ステップＳ３９へ進む。ステップＳ３９において、ＡＣ入力電力を電源装置２０Ａに供給するＡＣスイッチ部２１のＡＣスイッチ２１ａがオフされていない場合（Ｎｏ）は、ステップＳ４０へ進む。ステップＳ４０において、制御ＩＣ３０のＶＨ端子にダイオード７０ａによるＡＣ入力半波整流（抵抗７０ｂ及びツェナーダイオード７０ｃ，７０ｄ，７０ｅによる分圧）電圧が供給され、制御ＩＣ３０のＶＣＣ端子に接続するＣ３３ｅを充電し続けるため、ＩＣ３０のＶＣＣ端子の電圧がスイッチング停止解除の基準電圧まで垂下しない。そのため、ステップＳ３８に戻りＡＣスイッチ２１ａをオフしない限り、ＦＥＴ２８ａのスイッチング停止動作
が継続される（即ち、ラッチされる。）
【００９８】
ステップＳ３９において、ＡＣスイッチ２１ａがオフされた場合（Ｙｅｓ）は、ステップＳ４１へ進む。ステップＳ４１において、ＡＣスイッチ２１ａをオフすることにより、コンデンサ２３ｃの電圧は抵抗２３ａ、２３ｂにより、垂下、制御ＩＣ３０のＶＣＣ端子に接続するコンデンサＣ３３ｅの充電が停止し、コンデンサＣ３３ｅの電圧はＩＣ３０で消費され、制御ＩＣ３０のＶＣＣの電圧がスイッチング停止解除の基準電圧まで（７Ｖ以下まで）垂下する。その後、ステップＳ３８に戻る。ステップＳ３８において、（ＶＣＣ端子電圧）≦（制御ＩＣ３０内のＦＥＴスイッチング停止解除の基準電圧）例えば７Ｖ以下に垂下した場合（Ｙｅｓ）は、ステップＳ４２へ進む。ステップＳ４２において、制御ＩＣ３０により、ＦＥＴ２８ａのスイッチング停止のラッチが解除される。ステップＳ４３において、動作が終了し、電源再供給可能となる。
【００９９】
図１１は、図８中のステップＳ２４のアラーム信号処理の動作を示す電源装置２０Ａの構成ブロック図であり、図１の構成ブロック図に対応している。
【０１００】
この図１１では、アラーム信号ＡＬＭ−Ｐが有効となり、電源を遮断する場合の信号の流れが太い実線で示されている。
【０１０１】
図１２は、図８中のステップＳ２４のアラーム信号処理の動作を示すフローチャートである。
【０１０２】
この図１２では、アラーム信号ＡＬＭ−Ｐが有効となり、電源を遮断する場合の動作が示されている。
【０１０３】
以下、図７及び図１１を参照しつつ、図１２のフローチャートの処理を説明する。
図１２のステップＳ５１において、電源装置２０Ａが通常動作をしている。ステップＳ５２において、制御部５０Ａ内のドライバ５３，５４等が故障すると、ドライバアラーム検出部５５からアラーム信号ＡＬＭ−Ｐが送信される。ステップＳ５３において、アラーム信号ＡＬＭ−Ｐが電源装置２０Ａに入力されると、２次側の放電回路切り替え部７２内のフォトトライアックカプラの発光部７２ｅが発光し、ステップＳ５４−１へ進む。
【０１０４】
ステップＳ５４−１において、２次側の放電回路切り替え部７２内のフォトカプラの発光部７２ｅが発光すると、フォトカプラの発光部７３ｄのアノードに電圧が印加されるので、フォトカプラの発光部７３ｄが発光し、１次側の動作停止通知部３２内のフォトカプラの受光側トランジスタ３２ａがオンし、ステップＳ５５−１へ進む。ステップＳ５５−１において、トランス２６の補助巻線２６ｂにおける巻き終わり端子５Ｐｉｎ及び巻き初め端子６Ｐｉｎ間の巻線電圧が、整流／平滑部３３及び受光側トランジスタ３２ａを介して、制御ＩＣ３０のＺＣＤ端子１Ｐｉｎに掛かり、ステップＳ５６へ進む。
【０１０５】
ステップＳ５６において、制御ＩＣ３０は、ＺＣＤ端子電圧と、この制御ＩＣ３０内に予め設定されているＦＥＴスイッチングオフ基準電圧とを比較する。（ＺＣＤ端子電圧）＜（制御ＩＣ３０内のＦＥＴスイッチングオフ基準電圧）の場合（Ｎｏ）は、ステップＳ５５−１へ戻り、制御ＩＣ３０は、ＺＣＤ端子電圧が上昇するまで、ＦＥＴ２８ａのスイッチングを停止させない。ステップＳ５６において、（ＺＣＤ端子電圧）≧（制御ＩＣ３０内のＦＥＴスイッチングオフ基準電圧）の場合（Ｙｅｓ）は、ステップＳ５７へ進む。ステップＳ５７において、制御ＩＣ３０は、ＯＵＴ端子５Ｐｉｎをオフし、抵抗２８ｅを介して、スイッチング部２８内のＦＥＴ２８ａのスイッチングを停止させる。ＦＥＴ２８ａのスイッチングが停止すると補助巻線２６ｂからコンデンサＣ３３ｅへの充電が停止する。そしてステップＳ５４へ進む。
【０１０６】
ステップＳ５４において、フォトカプラの発光部７２ｅが発光することにより、１次側の放電回路切り替え部７１内のフォトカプラの受光側トライアック７１ｇがオンし、ステップＳ５５へ進む。ステップＳ５５において、１次フィルタ部２３内のコンデンサ２３ｃの電圧が、電圧供給部７０を介して、制御ＩＣ３０のＶＨ端子８Ｐｉｎに掛かると共に、平滑部２５内の電解コンデンサ２５ａの電圧が、放電回路切り替え部７１を介して、制御ＩＣ３０のＶＨ端子８Ｐｉｎに掛かり、ステップＳ５８へ進む。
【０１０７】
ステップＳ５８において、制御ＩＣ３０は、ＶＨ端子電圧と、この制御ＩＣ３０内に予め設定されているＦＥＴスイッチング停止解除の基準電圧とを比較する。（ＶＨ端子電圧）＞（制御ＩＣ３０内に予め設定されているＦＥＴスイッチング停止解除の基準電圧）の場合（Ｎｏ）は、ステップＳ５９へ進む。ステップＳ５９において、ＡＣ入力電力を電源装置２０Ａに供給するＡＣスイッチ２１ａがオフされていない場合（Ｎｏ）は、ステップＳ６０へ進む。ステップＳ６０において、制御ＩＣ３０はＶＨ端子の電圧によりＶＣＣ端子を経由してＣ３３ｅを充電するため、コンデンサＣ３３ｅの電圧が垂下しない。そのため、ＡＣスイッチ２１ａをオフしない限り、ＦＥＴ２８ａのスイッチング停止動作が継続される（即ち、ラッチされる）。
【０１０８】
ステップＳ５９において、ＡＣスイッチ２１ａがオフされた場合（Ｙｅｓ）、ステップＳ６１へ進む。ステップＳ６１において、ＡＣスイッチ２１ａをオフすることにより、ＡＣ入力電力が電源装置２０Ａに供給されなくなり、コンデンサ２３ｃの電圧は抵抗２３ａ、２３ｂにより垂下しダイオード７０ａによるＡＣ入力半波整流による電圧供給は短時間で垂下する。そして、コンデンサ２５ａによる電圧供給はコンデンサ２５ａ、抵抗２５ｂ及び抵抗２６ｃの時定数によりダイオード７０ａによる供給より長い時間スイッチング停止解除基準電圧より高い電位を維持した後で垂下する。そして、制御ＩＣ３０のＶＣＣ端子に接続するコンデンサＣ３３ｅの充電が停止し、コンデンサＣ３３ｅの電圧はＩＣ３０で消費されて、制御ＩＣ３０のＶＣＣ端子の電圧が垂下する。その後、ステップＳ５８へ戻る。
【０１０９】
ステップＳ５８において、（ＶＣＣ端子電圧）≦（制御ＩＣ３０内に予め設定されているＦＥＴスイッチング停止解除の基準電圧）例えば７Ｖの場合（Ｙｅｓ）は、ステップＳ６２へ進む。ステップＳ６２において、制御ＩＣ３０により、ＦＥＴ２８ａのスイッチング停止のラッチが解除され、ステップＳ６３において、動作が終了して電源再供給可能となる。なお、ステップＳ５４−１、Ｓ５５−１、Ｓ５６及びＳ５７の処理はステップＳ５４とパラレルに処理しても良い。
【０１１０】
図１３は、ＡＣスイッチ２１ａのオフ後の図７中のコンデンサ２３ｃの残電圧についての説明図である。
【０１１１】
図１３の横軸は時間（秒）、縦軸は電圧（Ｖ）である。この図１３では、ＡＣスイッチ２１ａのオフ後のコンデンサ２３ｃの電圧曲線８０と、ＦＥＴ２８ａのスイッチング停止が解除されるコンデンサ２３ｃの電圧曲線８１とが図示されている。この図１３を参照しつつ、図７中のＡＣスイッチ２１ａのオフ後の１次フィルタ部２３内のコンデンサ２３ｃの残電圧について説明する。
【０１１２】
図７において、１次フィルタ部２３内のコンデンサ２３ｃ及び放電用抵抗２３ａ，２３ｂは、通常、イミュニティー試験の規格、及び国際規格であるＩＥＣ６０９５０の安全規格に定められている残電圧時間を満足しなければならない。そのため、放電時間を速く設定し、且つノイズ除去を満足する定数を選定する。
【０１１３】
図１中の電圧供給部７０に該当する図７中のツェナーダイオード７０ｃ，７０ｄ，７０ｅにより、制御ＩＣ３０のＶＨ端子８Ｐｉｎに掛かる電圧値をかさ上げしているため、例えば、以下の定数とした場合、
１次フィルタ部２３内のコンデンサ２３ｃ：０．４７μＦ
１次フィルタ部２３内の抵抗２３ａ：４７０ｋΩ
１次フィルタ部２３内の抵抗２３ｂ：４７０ｋΩ
電圧供給部７０内の各ツェナーダイオード７０ｃ，７０ｄ，７０ｅ：２７Ｖ品
ＡＣスイッチ２１ａのオフ後、約０．４７秒経過後に制御ＩＣ３０のＶＨ端子８Ｐｉｎの電圧が、制御ＩＣ３０内のＦＥＴスイッチング停止解除の基準電圧まで垂下し、スイッチング停止のラッチ状態が解除され、ＡＣスイッチ２１ａの電源再供給可能となる。
【０１１４】
例えば、ＡＣ入力電圧を２３０Ｖ設定とし、制御ＩＣ３０内のＦＥＴスイッチング停止解除の基準電圧を３０Ｖとした場合、ＡＣスイッチ２１ａのオフ後のコンデンサ２３ｃの電圧は、曲線８０の垂下曲線となる。コンデンサ２５ａの電圧が１１１Ｖとなり、ＡＣスイッチ２１ａのオフ後、０．４７秒となった時点で、ＦＥＴ２８ａのスイッチング停止が解除され、ＡＣスイッチ２１ａの電源再供給可能となる。
【０１１５】
又、ＡＣスイッチ２１ａのオフ後の平滑部２５内の電解コンデンサ２５ａの残電圧は、図６で説明したように、例えば、ＡＣ入力電圧を２３０Ｖ設定とし、制御ＩＣ３０内のＦＥＴスイッチング停止解除の基準電圧を３０Ｖとした場合、ＡＣスイッチ２１ａのオフ後の電解コンデンサ２５ａの電圧は、曲線６０の垂下曲線となる。電解コンデンサ２５ａの電圧が３０Ｖとなり、ＡＣスイッチ２１ａのオフ後約２分３７秒（＝１５７秒）となった時点で、ＦＥＴ２８ａのスイッチング停止が解除され、ＡＣスイッチ２１ａの電源再供給可能となる。
【０１１６】
このように、ＡＣスイッチ２１ａのオフ後のコンデンサ２３ｃの電圧は、ＦＥＴ２８のスイッチング停止解除電圧まで即垂下（例えば、０．４７秒程度）するため、ＡＣスイッチ２１ａのオフ後の電源再供給が即可能である。これに対し、電解コンデンサ２５ａの電圧は、約２分３７秒程度待たなければ、ＦＥＴ２８ａのスイッチング停止解除電圧まで垂下しないため、ＡＣスイッチ２１ａのオフ後、ＡＣ電力再供給可能となるまで、前記時間、ユーザが待つ必要がある。
【０１１７】
図１４は、図７中のフォトカプラの発光部７２ｅ、７３ｄの点条件を示す図であり、図１５は、図７中のフォトトランジスタ３２ａ、７１ｇのオン／オフと、ＩＣ３０の動作状態及びユーザによる電源再立ち上げ時間との関係を示す図である。
【０１１８】
図１、図７、図１４及び図１５により、本実施例１の動作を総括する。
放電回路切り替え部７２中のフォトカプラの発光部７２ｅは、ツェナーダイオード７２ａがオン状態の場合又はアラーム信号ＡＬＭ−ＰがＨレベル（例えば、６Ｖ）の場合、点灯し、ツェナーダイオード７２ａがオフ状態且つアラーム信号ＡＬＭ−ＰがＬレベル（例えば、０Ｖ）の場合、消灯することが、図１４に示されている。放電回路切り替え部７２中のフォトカプラの発光部７２ｅが点灯すると、フォトトランジスタ７１ｇがオンし、時定数の長い放電回路が選択されるので、ユーザによる電源の再立ち上げ時の立ち上がり時間が長くなることが、図１５に示されている。
【０１１９】
図１４において、ツェナーダイオード７２ａがオフ状態且つアラーム信号ＡＬＭ−ＰがＬレベル（例えば、０Ｖ）であり、且つオートオフ信号ＡＵＴＯ−ＯＦＦ−ＰがＨレベル（例えば、１．９Ｖ）の場合は、動作停止通知部７３中のフォトカプラの発光部７３ｄのみが発光するので、フォトトランジスタ７１ｇはオフ状態のままであり、時定数の短い放電回路が選択されるので、ユーザによる電源の再立ち上げ時の立ち上がり時間が短くなることが、図１５に示されている。
【０１２０】
（実施例１の効果）
本実施例１によれば、画像形成装置の電源を自動でオフさせるオートオフ信号ＡＵＴＯ−ＯＦＦ−Ｐと、画像形成装置の異常状態を示すアラーム信号ＡＬＭ−Ｐと、を設け、オートオフ信号ＡＵＴＯ−ＯＦＦ−Ｐが有効である場合、電源装置２０Ａの１次フィルタ部２３内のコンデンサ２３ｃの電圧を使用することにより、ＡＣスイッチ２１ａのオフ後の電源再供給を即可能としている。
【０１２１】
更に、アラーム信号ＡＬＭ−Ｐが有効である場合、図７中のフォトトライアックカプラの発光部７２ｅ及び受光側トライアック７１ｇにより、整流部２４によるＡＣ電力の全波整流後に平滑部２５で平滑した電解コンデンサ２５ａの電圧に切り替えることにより、比較例と同様に、ＡＣスイッチ２１ａのオフ後の電源再供給時間に、ユーザへ装置故障を認識させるため数分間の待ち時間を確保することができる。
【実施例２】
【０１２２】
（実施例２の電源装置の構成）
図１６は、本発明の実施例２における電源装置の構成ブロック図であり、比較例を示す図３中の要素、及び実施例１を示す図１中の要素と共通の要素には共通の符号が付されている。
【０１２３】
本実施例２の電源装置２０Ｂでは、実施例１の電源装置２０Ａにおけるトランス２６の１次側の電圧供給部７０及び放電回路切り替え部７１に代えて、これらとは構成の異なるリレー回路動作部９０及びＢ接点リレー回路９１を設け、トランス２６の２次側の動作停止通知部７３及び放電回路切り替え部７２に代えて、これらとは構成の異なる動作停止通知部４１及びリレー回路動作部９２を設けている。動作停止通知部４１は、比較例を示す図３中の動作停止通知部４１と同一のものである。
【０１２４】
本実施例２における１次側のリレー回路動作部９０は、整流部２４の出力側に接続され、２次側のリレー回路動作部９２の出力光を受光して動作し、１次側のＢ接点リレー回路９１を動作させる回路である。Ｂ接点リレー回路９１は、整流部２４と平滑部２５との間を電気的に接続又は遮断する回路であり、通常はオン状態となって整流部２４と平滑部２５との間を接続し、リレー回路動作部９０が動作すると、オフ状態となって整流部２４と平滑部２５との間を遮断する回路である。２次側のリレー回路動作部９２は、制御部５０Ａ内の演算／処理部５２Ａから送信されるオートオフ信号ＡＵＴＯ−ＯＦＦ−Ｐにより動作して発光し、１次側のリレー回路動作部９０を動作させる回路である。
【０１２５】
１次側の動作停止通知部３２及び２次側の動作停止通知部４１により、遮断手段が構成されている。１次側のリレー回路動作部９０、Ｂ接点リレー回路９１、及び２次側のリレー回路動作部９２により、オートオフ手段が構成されている。その他の構成は、図３の比較例及び図１の実施例１の構成と同様である。
【０１２６】
図１７は、図１６の電源装置２０Ｂの構成例を示す回路図であり、比較例を示す図４中の要素、及び実施例１を示す図７中の要素と共通の要素には共通の符号が付されている。
【０１２７】
本実施例２における１次側のリレー回路動作部９０は、２次側のリレー回路動作部９２の出力光を受光してオンするフォトトライアックカプラの受光側トライアック９０ａ、抵抗９０ｂ，９０ｅ、励磁用コイル９０ｃ、コンデンサ９０ｄ、及びツェナーダイオード９０ｆを有している。受光側トライアック９０ａのアノードは、整流部２４の出力側に接続されている。受光側トライアック９０ａのカソードは、抵抗９０ｂ及び励磁用コイル９０ｃを介して、平滑部２５内の電解コンデンサ２５ａの−側電極に接続されている。
【０１２８】
受光側トライアック９０ａのカソード側には、コンデンサ９０ｄ及び抵抗９０ｅが並列に接続されている。励磁用コイル９０ｃは、Ｂ接点リレー回路９１を動作させるコイルである。励磁用コイル９０ｃには、ツェナーダイオード９０ｆが並列に接続されている。ツェナーダイオード９０ｆは、励磁用コイル９０ｃに掛かる電圧をクランプするものである。
【０１２９】
Ｂ接点リレー回路９１は、整流部２４の出力側と平滑部２５の入力側との間に接続され、励磁用コイル９０ｃに電流が流れず、励磁用コイル９０ｃが励磁されない場合は、スイッチがオン状態になっており、励磁用コイル９０ｃに電流が流れ、励磁用コイル９０ｃが励磁された場合は、スイッチがオフ状態になる回路である。
【０１３０】
２次側のリレー回路動作部９２は、オートオフ信号ＡＵＴＯ−ＯＦＦ−Ｐを入力する抵抗９２ａと、フォトトライアックカプラの発光部９２ｂとを有している。発光部９２ｂは、抵抗９２ａと、アラーム部４１内のフォトカプラの発光部４１ｆとの間に接続され、オートオフ信号ＡＵＴＯ−ＯＦＦ−Ｐが入力されると、発光して受光側トライアック９０ａをオンさせる素子である。フォトトライアックカプラの特性として、発光部９２ｂの発光がなくなっても、受光側トライアック９０ａはオンし続ける特性を持つ。その他の構成は、図４の比較例及び図７の実施例１の構成と同様である。
【０１３１】
（実施例２の動作）
図１８は、図１６及び図１７の電源装置２０Ｂにおける全体の動作を示す概略のフローチャートである。
【０１３２】
本実施例２の電源装置２０Ｂでは、実施例１と同様に、ステップＳ７１において、動作が開始されると、ステップＳ７２において、制御部５０Ａからのオートオフ信号ＡＵＴＯ−ＯＦＦ−Ｐ又はアラーム信号ＡＬＭ−Ｐの受信待ち状態になる。この受信待ち状態において、電源装置２０Ｂは、実施例１の電源装置２０Ａと同様に、ＡＣ電力をＡＣスイッチ部２１のＡＣスイッチ２１ａ及びＡＣ入力部２２を介して入力し、２次側出力部３８から安定したＤＣ電力を出力する。すると、制御部５０Ａ内のスペースモータ用ドライバ５３及び印字ヘッド用ドライバ５４により、図２のプリンタ本体１０側のスペースモータ１４及び印字ヘッド１１ｂがそれぞれ駆動され、印刷媒体に印字される。
【０１３３】
ステップＳ７２において、電源装置２０Ｂは、制御部５０Ａ内の演算／処理部５２Ａから出力されたオートオフ信号ＡＵＴＯ−ＯＦＦ−Ｐを受信すると、ステップＳ７３へ進み、オートオフ信号処理を行った後、動作を終了する。又、電源装置２０Ｂは、制御部５０Ａ内のドライバアラーム検出部５５から出力されたアラーム信号ＡＬＭ−Ｐを受信すると、ステップＳ７４へ進み、比較例の図５と同様のアラーム信号処理を行った後、動作を終了する。
【０１３４】
図１９は、図１８中のステップＳ７３のオートオフ信号処理の動作を示す電源装置２０Ｂの構成ブロック図であり、図１６の構成ブロック図に対応している。
【０１３５】
この図１９では、オートオフ信号ＡＵＴＯ−ＯＦＦ−Ｐが有効となり、電源装置２０Ｂをオートオフする場合の信号の流れが太い実線で示されている。
【０１３６】
図２０は、図１８中のステップＳ７３のオートオフ信号処理の動作を示すフローチャートである。
【０１３７】
この図２０では、オートオフ信号ＡＵＴＯ−ＯＦＦ−Ｐが有効となり、電源装置２０Ｂをオートオフする場合の動作が示されている。
【０１３８】
以下、図１７及び図１９を参照しつつ、図２０のフローチャートの処理を説明する。
図２０のステップＳ８１において、電源装置２０Ｂが通常動作をしている。ステップＳ８２において、画像形成装置を使用しない期間が一定時間経過すると、制御部５０Ａ内の演算／処理部５２Ａがオートオフ信号ＡＵＴＯ−ＯＦＦ−Ｐを送信する。ステップＳ８３において、オートオフ信号ＡＵＴＯ−ＯＦＦ−Ｐが、電源装置２０Ｂ内の２次側のリレー回路動作部９２に入力されると、このリレー回路動作部９２内のフォトトライアックカプラの発光部９２ｂが発光する。ステップＳ８４において、フォトトライアックカプラの発光部９１ｂが発光することにより、１次側のリレー回路動作部９０内の受光側トライアック９０ａがオンする。
【０１３９】
ステップＳ８５において、励磁用コイル９０ｃに電流が流れてこの励磁用コイル９０ｃが励磁され、Ｂ接点リレー回路９１のスイッチがオフして、整流部２４と平滑部２５との間が遮断される。ステップＳ８６において、Ｂ接点リレー回路９１以降の回路に電圧が供給されなくなり、電源装置２０Ｂの２次側出力電力が遮断され、ステップＳ８７へ進む。
【０１４０】
ステップＳ８７において、ＡＣ入力電力を電源装置２０Ｂに供給するＡＣスイッチ部２１のＡＣスイッチ２１ａがオフされていない場合（Ｎｏ）、ステップＳ８８へ進む。ステップＳ８８において、フォトトライアックカプラの受光側トライアック９０ａに電流が流れ続け、励磁用コイル９０ｃが励磁され続けるため、Ｂ接点リレー回路９１のスイッチがオフ状態を持続する。そのため、Ｂ接点リレー回路９１以降の回路に電圧が供給されないので、２次側出力電力の遮断状態を持続する。その後、ステップＳ８７へ戻る。
【０１４１】
ステップＳ８７において、ＡＣスイッチ２１ａがオフされた場合（Ｙｅｓ）、ステップＳ８９へ進む。ステップＳ８９において、ＡＣスイッチ２１ａをオフすることにより、１次フィルタ部２３内のコンデンサ２３ｃの電圧が、放電用抵抗２３ａ，２３ｂにより即垂下し、フォトトライアックカプラの受光側トライアック９０ａに電流が流れなくなり、受光側トライアック９０ａがオフする。これにより、励磁用コイル９０ｃが励磁されないため、Ｂ接点リレー回路９１のスイッチがオンする。その後、ステップＳ８９において、動
作を終了し、電源再供給可能状態となる。
【０１４２】
又、アラーム信号ＡＬＭ−Ｐが有効となった場合や、その他の動作については、比較例や実施例１と同様である。
【０１４３】
（実施例２の効果）
本実施例２によれば、画像形成装置の電源装置２０Ｂを自動でオフさせるオートオフ信号ＡＵＴＯ−ＯＦＦ−Ｐと、画像形成装置の異常状態を示すアラーム信号ＡＬＭ−Ｐと、を設け、オートオフ信号ＡＵＴＯ−ＯＦＦ−Ｐが有効である場合、Ｂ接点リレー回路９１のスイッチをオフさせ、リレー回路動作部９０により、そのスイッチのオフ状態を維持し、整流部２４による１次側全波整流後の平滑部２５への電力供給を遮断している。これにより、電源装置２０Ｂによる２次側出力電力の遮断状態を持続させ、ＡＣスイッチ２１ａのオフ後は、実施例１と同様に、電源再供給を即可能とすることができる。即ち、制御ＩＣ３０のラッチ機能に介入しないため、オートオフ時の電源再供給を即可能とすることができる。
【０１４４】
更に、アラーム信号ＡＬＭ−Ｐが有効である場合は、比較例や実施例１と同様に、ＡＣスイッチ２１ａのオフ後の電源再供給時間に、ユーザへ装置故障を認識させるため数分間の待ち時間を確保することができる。
【０１４５】
（変形例）
本発明は、上記実施例に限定されず、種々の利用形態や変形が可能である。この利用形態や変形例としては、例えば、次の（ａ）、（ｂ）のようなものがある。
【０１４６】
（ａ）  電源装置２０Ａ，２０Ｂは、図示以外の構成に変更しても良い。
（ｂ）  図２のプリンタ本体１０は、電子写真プリンタ等の他の形式のプリンタ本体にも適用できる。又、本発明の画像形成装置は、プリンタ以外の複写機、ファクシミリ装置、複合機（ＭＦＰ）等にも適用が可能である。
【符号の説明】
【０１４７】
１０      プリンタ本体
２０，２０Ａ，２０Ｂ      電源装置
２１ａ      ＡＣスイッチ
２６      トランス
２８      スイッチング部
２８ａ      ＦＥＴ
３０      制御ＩＣ
３２      動作停止通知部
５０，５０Ａ      制御部
７０      電圧供給部
４１，７２      動作停止通知部
７１，７２      放電回路切り替え部
９０，９２      リレー回路動作部
９１      Ｂ接点リレー回路
【図１】
0005779114.tif 000002
【図２】
0005779114.tif 000003
【図３】
0005779114.tif 000004
【図４】
0005779114.tif 000005
【図５】
0005779114.tif 000006
【図６】
0005779114.tif 000007
【図７】
0005779114.tif 000008
【図８】
0005779114.tif 000009
【図９】
0005779114.tif 000010
【図１０】
0005779114.tif 000011
【図１１】
0005779114.tif 000012
【図１２】
0005779114.tif 000013
【図１３】
0005779114.tif 000014
【図１４】
0005779114.tif 000015
【図１５】
0005779114.tif 000016
【図１６】
0005779114.tif 000017
【図１７】
0005779114.tif 000018
【図１８】
0005779114.tif 000019
【図１９】
0005779114.tif 000020
【図２０】
0005779114.tif 000021